(57)【特許請求の範囲】
【請求項１】
内視鏡本体（２０）がコネクタ本体（１）と軟性コード（２１）を介して接続され、
コネクタ本体（１）における軟性コード（２１）の接続位置の反対位置にライトガイドコネクタ（２）が接続され、
かつ、
コネクタ本体（１）から軟性コード（２１）に対して直角または鋭角に導出される軟性ケーブル（４）を介して電気コネクタ（３）が接続されており、
コネクタ本体（１）またはその近傍に設けられた第１の係止部材と、
電気コネクタ（３）に設けられ、電気コネクタ（３）の開口（３ａ）がライトガイドコネクタの導出方向を向くように前記第１の係止部材と係止される第２の係止部材と、
を備え、
軟性ケーブル長（Ｌ）よりも、軟性ケーブル基部と電気コネクタ接続位置との距離（Ｃ）が小さいことを特徴とする内視鏡用コネクタ。
【請求項２】
前記第１の係止部材が、
軟性コード（２１）に挿通されたリング型の係止部材（５ｂ）であり、
前記第２の係止部材が、
電気コネクタ（３）に設けられ、開口（３ａ）方向に曲げ加工されたカギ型の係止部材（５ａ）であることを特徴とする請求項１記載の内視鏡用コネクタ。
【請求項３】
前記第１の係止部材が、
コネクタ本体（１）に形成された凸部に設けられたカギ型の係止部材（５ｃ）であり、
前記第２の係止部材が、
電気コネクタ（３）に設けられ、開口（３ａ）方向に曲げ加工されたカギ型の係止部材（５ａ）であることを特徴とする請求項１記載の内視鏡用コネクタ。
【請求項４】
電気コネクタを係止する部材によって電気コネクタの開口（３ａ）を封止し、電気コネクタを防水することを特徴とする請求項１記載の内視鏡用コネクタ。
【請求項５】
コネクタ本体に接続される軟性コード、またはコネクタ本体に設けた、送気・送水コネクタ、通気コネクタ、吸引コネクタ、Ｓ端子、ライトガイドコネクタの何れかに電気コネクタ（３）が係止されることを特徴とする請求項１記載の内視鏡用コネクタ。
【発明の詳細な説明】
【技術分野】
【０００１】
この発明は、軟性コードを介して内視鏡本体に連設され、ライトガイドコネクタと電気コネクタとを備える内視鏡用コネクタに関する。
【背景技術】
【０００２】
軟性コードを介して内視鏡本体に連設され、ライトガイドコネクタを備える内視鏡用コネクタにおいて、ライトガイドコネクタを光源に差し込むときに邪魔にならないように、ライトガイドコネクタの配設面とは異なる面に、他のコネクタを配設したものが知られている。（特許文献１を参照）
図５は、従来技術による内視鏡用コネクタ１００を示すものである。
図５は、光源に接続するライトガイドコネクタ１０２と、電気機器に接続する電気コネクタ１０３とを備える内視鏡用コネクタ１００において、軟性コード２１を介して内視鏡本体２０に接続されるコネクタ本体１０１に、軟性コード接続位置の反対側の面に配設されるライトガイドコネクタ１０２と、前記ライトガイドコネクタ１０２に対して垂直または鈍角方向に延びる軟性ケーブル１０４を介して接続される電気コネクタ１０３とを設けてある。
【特許文献１】特開２００１−１２８９２１号公報（図８）
【発明の開示】
【発明が解決しようとする課題】
【０００３】
内視鏡を内視鏡ハンガー３０に吊るして保管するときに、内視鏡本体２０から軟性コード２１を介して連設される内視鏡用コネクタ１００は、ライトガイドコネクタ１０２が重力方向に向くようにして吊るされる。そして、前記ライトガイドコネクタ２１に対して垂直または鈍角方向に延びる軟性ケーブル１０４を介して接続された電気コネクタ１０３を設けた従来技術による内視鏡用コネクタ１００では、図５に示すように、コネクタ本体１０１に接続される軟性ケーブル１０４がその基部１０４ａで折れ曲って、重力方向にぶら下がる。
このとき、前記軟性ケーブル１０４の先端にある電気コネクタ１０３の重さによって、軟性ケーブル１０４の基部（軟性ケーブルの折れ曲り部分）１０４ａに大きな力がかかり、断線やケーブル外皮の損傷が問題となっていた。
【０００４】
この発明は、ライトガイドコネクタと併設される電気コネクタが、ライトガイドコネクタの光源への接続に邪魔にならないように設計した内視鏡用コネクタであって、さらに内視鏡保管時に軟性ケーブルの基部における断線やケーブル外皮の損傷を防止した内視鏡用コネクタを提供することを目的とする。
【課題を解決するための手段】
【０００５】
上述の目的を達成するため、この発明の内視鏡用コネクタは、軟性コードを介して内視鏡本体に接続されるコネクタ本体に、軟性コード接続位置の反対側の面に配設されるライトガイドコネクタと、前記ライトガイドコネクタに対して垂直または鈍角方向に延びる軟性ケーブルを介して接続される電気コネクタとを設けるとともに、軟性ケーブル長（Ｌ）よりも、軟性ケーブル基部と電気コネクタ係止位置との距離（Ｃ）が小さくなるように、コネクタ本体またはその近傍に電気コネクタを係止させるものである。
【発明の効果】
【０００６】
この発明の内視鏡用コネクタによれば、ライトガイドコネクタに対して垂直または鈍角方向に延びる軟性ケーブルを介して接続される電気コネクタを設けることによって、ライトガイドコネクタを光源へ接続するときに、ライトガイドコネクタと併設される電気コネクタが邪魔にならず、さらに内視鏡を内視鏡用ハンガーに吊るして保管するときに、前記軟性ケーブルの基部に電気コネクタの重さによる負担がかからず、断線やケーブル外皮の損傷を防止することができる。
【発明を実施するための最良の形態】
【０００７】
以下にこの発明の実施形態について、図面を参照にして説明する。
【０００８】
この発明の第１実施例による内視鏡用コネクタ１０を図１及び図２を参照して説明する。
図１に示す内視鏡用コネクタ１０は、軟性コード２１を介して内視鏡本体２０に連設され、光源に接続するライトガイドコネクタ２と、電気機器に接続する電気コネクタ３とを備える。
軟性コード２１を介して内視鏡本体２０に接続されるコネクタ本体１には、軟性コード接続位置の反対側の面に配設されるライトガイドコネクタ２と、前記ライトガイドコネクタ２に対して垂直または鈍角方向に延びる軟性ケーブル４を介して接続される電気コネクタ３とが設けられている。
【０００９】
また、電気コネクタ３の側面にカギ型の第１係止部材５ａを設けるとともに、コネクタ本体１の軟性コード接続位置にリング型の第２係止部材５ｂとを設けることによって、内視鏡を内視鏡用ハンガー３０に吊るして保管するときに、前記第２係止部材５ｂに第１係止部材５ａを係止し、コネクタ本体１またはその近傍に電気コネクタ３を係止させる。
電気コネクタ３をコネクタ本体１またはその近傍に係止させることによって、従来技術による内視鏡用コネクタのように、軟性ケーブルが基部で折れ曲って電気コネクタがぶら下がるといった状態が回避され、コネクタ本体１に接続された軟性ケーブル４の基部４ａに電気コネクタ３の重さがかからず、軟性ケーブル４の基部４ａに大きな負担がかかることがない。
【００１０】
また、軟性ケーブル４が基部４ａで折り曲がることなく、軟性ケーブル４を湾曲させ、電気コネクタ３をコネクタ本体１またはその近傍に係止させるため、図２に示すように、前記ライトガイドコネクタ２に対して垂直または鈍角方向に延びる軟性ケーブル４（９０°≦角度θ≦１８０°）を介して接続される電気コネクタ３が設けられた内視鏡用コネクタ１０において、軟性ケーブル基部と電気コネクタ係止位置との距離Ｃが、軟性ケーブル長Ｌよりも小さくなるように設計してある。
ここにおいて、軟性ケーブル長Ｌとは、軟性ケーブル基部４ａから、ケーブル先端にある電気コネクタ３のケーブル接続部４ｂまでの長さをいう。
また距離Ｃは、軟性ケーブル基部４ａと電気コネクタ係止位置との距離であり、この図２に示す実施例では、第２係止部材５ｂの配設位置と軟性ケーブル基部４ａとの距離をいう。
【００１１】
なお、コネクタ本体１に接続される軟性コード４や、コネクタ本体１に設けたその他のコネクタ（例えば、送気・送水コネクタ、通気コネクタ、吸引コネクタ、Ｓ端子、ライトガイドコネクタ等）に電気コネクタ３を係止させるように設計してもいい。
軟性ケーブル基部と電気コネクタ係止位置との距離Ｃを、軟性ケーブル長Ｌよりも小さくすることによって、軟性ケーブル４を湾曲させて、電気コネクタ３を係止することができる。
【００１２】
図１に示す内視鏡用コネクタ１０では、内視鏡を内視鏡用ハンガー３０に吊るして保管するときに、コネクタ本体１の軟性コード接続位置に設けたリング型の第２係止部材５ｂと、電気コネクタ３に設けたカギ型の第１コネクタ５ａを係止することによって、ライトガイドコネクタ２に対して垂直または鈍角方向に延びる軟性ケーブル４を湾曲させ、電気コネクタ３をコネクタ本体１またはその近傍に係止した。これによって、前記ライトガイドコネクタ２に対して垂直または鈍角方向に延びる軟性ケーブルの基部４ａに、電気コネクタ３の重さがかかることがなく、内視鏡保管時の軟性ケーブルの負担が軽減され、断線やケーブル外皮の損傷を防止することができる。
【００１３】
なお、内視鏡を内視鏡用ハンガー３０に吊るして保管するときに、前記電気コネクタ３の開口３ａを重力方向に向かせるようにして係止することによって、電気コネクタ３の接続部（開口３ａ）にゴミやホコリ、水滴等が入る心配がない。（図１を参照）
【００１４】
次に、この発明の第２実施例による内視鏡用コネクタ１０´について、図３を参照して説明する。
この実施例による内視鏡用コネクタ１０´も、図１に示す内視鏡用コネクタ１０と同様に、軟性コード２１を介して内視鏡本体に連設され（図略）、前記軟性コード２１を介して内視鏡本体２０に接続されるコネクタ本体１に、軟性コード接続位置の反対側の面に配設されるライトガイドコネクタ２と、前記ライトガイドコネクタ２に対して垂直または鈍角方向に延びる軟性ケーブル４を介して接続される電気コネクタ３が設けられているとともに、内視鏡を内視鏡用ハンガーに吊るして保管するときに、前記電気コネクタ３がコネクタ本体１またはその近傍に係止される。
また、軟性ケーブル長（Ｌ）よりも、軟性ケーブル基部と電気コネクタ係止位置との距離（Ｃ）が小さくなるように、電気コネクタ３がコネクタ本体１またはその近傍に係止されている。
【００１５】
図３に示す実施例では、コネクタ本体１に形成された凸部にカギ型の第３係止部材５ｃが取り付けられ、電気コネクタ３に設けたカギ型の第１コネクタ５ａを前記第３係止部材５ｃに係止することによって、ライトガイドコネクタ２に対して垂直または鈍角方向に延びる軟性ケーブル４を湾曲させ、電気コネクタ３をコネクタ本体１またはその近傍に係止した。これによって、前記ライトガイドコネクタ２に対して垂直または鈍角方向に延びる軟性ケーブルの基部４ａに電気コネクタ３の重さがかかることなく、内視鏡保管時の軟性ケーブルの負担が軽減され、断線やケーブル外皮の損傷を防止することができる。
【００１６】
なお、この実施例による内視鏡用コネクタ１０´も、内視鏡を内視鏡用ハンガー３０に吊るして保管するときに、前記電気コネクタ３の開口３ａを重力方向に向かせ、電気コネクタ３の接続部（開口３ａ）にゴミやホコリ、水滴等が入るのを防止してある。
【００１７】
図４は、この発明の第３実施例による内視鏡用コネクタ１０´´を示すものである。
この実施例による内視鏡用コネクタ１０´´も、図１に示す内視鏡用コネクタ１０と同様に、軟性コード２１を介して内視鏡本体に連設され（図略）、前記軟性コード２１を介して内視鏡本体２０に接続されるコネクタ本体１に、軟性コード接続位置の反対側の面に配設されるライトガイドコネクタ２と、前記ライトガイドコネクタ２に対して垂直または鈍角方向に延びる軟性ケーブル４を介して接続される電気コネクタ３が設けられているとともに、内視鏡を内視鏡用ハンガー３０に吊るして保管するときに、前記電気コネクタ３がコネクタ本体１またはその近傍に係止される。
また、軟性ケーブル長（Ｌ）よりも、軟性ケーブル基部と電気コネクタ係止位置との距離（Ｃ）が小さくなるように、電気コネクタ３がコネクタ本体１またはその近傍に係止されている。
【００１８】
この実施例による内視鏡用コネクタ１０´´は、コネクタ本体１の近傍に防水キャップ５ｄを設け、防水キャップ５ｄを電気コネクタ３の開口３ａに嵌め合わせることによって、電気コネクタ３をコネクタ本体１の近傍に係止する。
防水キャップ５ｄからなる係止部材を、コネクタ本体１の近傍に設けた内視鏡用コネクタ１０´´によれば、内視鏡を内視鏡用ハンガー３０に吊るして保管するときに、前記防水キャップ５ｄを電気コネクタ３の開口３ａに嵌め合わせることによって、電気コネクタ３をコネクタ本体１の近傍に係止することができ、さらに防水キャップ（係止部材）５ｄによって電気コネクタ３の開口３ａが封止され、電気コネクタの防水を図ることができる。
【図面の簡単な説明】
【００１９】
【図１】この発明の第１実施例による内視鏡用コネクタを示す図である。
【図２】図１の内視鏡用コネクタの説明図である。
【図３】この発明の第２実施例による内視鏡用コネクタの説明図である。
【図４】この発明の第３実施例による内視鏡用コネクタの説明図である。
【図５】従来技術による内視鏡用コネクタを示す図である。
【符号の説明】
【００２０】
１    コネクタ本体
２    ライトガイドコネクタ
３    電気コネクタ
４    軟性ケーブル
５ａ、５ｂ、５ｃ、５ｄ    係止部材
１０    内視鏡用コネクタ
２０    内視鏡本体
【図１】
0004794133.tif 000002
【図２】
0004794133.tif 000003
【図３】
0004794133.tif 000004
【図４】
0004794133.tif 000005
【図５】
0004794133.tif 000006